(57)【特許請求の範囲】
【請求項１】
患者が看護師を呼び出すための第一のナースコール子機と、
前記第一のナースコール子機が接続され、病室内のベッド近傍の壁面に設置される第一のプレート子機と、
前記第一のプレート子機に接続され、前記病室近傍の廊下に設置される廊下灯と、
ナースステーションに設置されて看護師が患者からの呼出に応対するためのナースコール親機と、
前記廊下灯および前記ナースコール親機に接続され、前記廊下灯や前記ナースコール親機を制御する制御装置と、
を備えたナースコールシステムであって、
前記廊下灯には、前記ベッド近傍以外の場所からの汎用呼出が可能な第二のナースコール子機が、第二のプレート子機を介して、さらに接続され、
前記廊下灯は、前記第一のナースコール子機および前記第二のナースコール子機からの呼出に対して患者情報や汎用呼出情報を表示するためのモニタと、当該モニタを制御するための表示制御部とを有し、
前記モニタは、患者情報表示領域と汎用呼出情報表示領域とを有し、
前記表示制御部は、前記汎用呼出が可能な前記第二のナースコール子機からの呼出が発生すると、前記汎用呼出情報表示領域内に呼出元を特定するための表示欄を生成するとともに、前記汎用呼出が重複した場合には前記患者情報表示領域を表示させたままの状態で前記汎用呼出の数に応じた数の表示欄を前記汎用呼出情報表示領域内に表示させる制御を行う、ナースコールシステム。
【請求項２】
前記ベッド近傍以外の場所からの汎用呼出は、前記病室内のトイレまたは浴室からの呼出である、請求項１に記載のナースコールシステム。
【請求項３】
前記汎用呼出情報表示領域に表示される表示欄は、重複した呼出の数に応じて大きさを変化させる、請求項１または請求項２に記載のナースコールシステム。
【請求項４】
前記廊下灯に接続される全ての第一のナースコール子機および第二のナースコール子機からの呼出に対して優先度が設定されており、
前記呼出が重複した場合には、前記表示制御部は、前記優先度に応じて前記患者情報表示領域および前記汎用呼出情報表示領域の大きさを変更する、請求項１から請求項３のいずれか一項に記載のナースコールシステム。
【請求項５】
前記表示制御部は、前記第二のナースコール子機からの汎用呼出が前記第一のナースコール子機からの呼出よりも優先度が高いと判断した場合には、前記汎用呼出情報表示領域および当該領域に表示される表示欄が初期設定時のサイズである標準サイズよりも大きくなるように変更する、請求項４に記載のナースコールシステム。
【発明の詳細な説明】
【技術分野】
【０００１】
本発明は、病院で用いられるナースコールシステムにおいて、特に廊下灯に関するものである。
【背景技術】
【０００２】
特許文献１に開示のように、従来、患者からの呼出を病室の入り口付近に配置された液晶廊下灯で報知するにあたって、患者からの呼出に応じて液晶廊下灯を点滅させるとともに、呼出を行った患者の患者情報を液晶廊下灯の表示部に表示させる構成としていた。これにより、看護師は、患者情報を確認してから処置を行うことができ、また、呼出を行った患者の患者情報のみを表示しているため、患者のプライバシーの保護も図ることができる。
【先行技術文献】
【特許文献】
【０００３】
【特許文献１】特開２００６−０２１０２９号公報
【発明の概要】
【発明が解決しようとする課題】
【０００４】
しかしながら、特許文献１に記載の発明では、例えば、病室内にトイレや浴室などが設置され、そこにナースコール子機が設置される場合に、ベッド（病床）からの呼出ではないトイレや浴室から呼出操作については患者情報を表示する廊下灯とは別の廊下灯を設置しなければ、これらトイレや浴室からの呼出を報知することができなかった。
【０００５】
そこで、本発明は、ベッドからの呼出とベッド以外からの呼出を単一の廊下灯で報知することが可能なナースコールシステムを提供することを目的とする。
【課題を解決するための手段】
【０００６】
上記目的を達成するため、本発明のナースコールシステムは、
患者が看護師を呼び出すための第一のナースコール子機と、
前記第一のナースコール子機が接続され、病室内のベッド近傍の壁面に設置される第一のプレート子機と、
前記第一のプレート子機に接続され、前記病室近傍の廊下に設置される廊下灯と、
ナースステーションに設置されて看護師が患者からの呼出に応対するためのナースコール親機と、
前記廊下灯および前記ナースコール親機に接続され、前記廊下灯や前記ナースコール親機を制御する制御装置と、
を備えたナースコールシステムであって、
前記廊下灯には、前記ベッド近傍以外の場所からの汎用呼出が可能な第二のナースコール子機が、第二のプレート子機を介して、さらに接続され、
前記廊下灯は、前記第一のナースコール子機および前記第二のナースコール子機からの呼出に対して患者情報や汎用呼出情報を表示するためのモニタと、当該モニタを制御するための表示制御部とを有し、
前記モニタは、患者情報表示領域と汎用呼出情報表示領域とを有し、
前記表示制御部は、前記汎用呼出が可能な前記第二のナースコール子機からの呼出が発生すると、前記汎用呼出情報表示領域内に呼出元を特定するための表示欄を生成するとともに、前記汎用呼出が重複した場合にはその数に応じた表示欄をさらに表示させる制御を行うことを特徴とする。
【０００７】
このようなナースコールシステムによれば、従来のように、廊下灯と別途に廊下灯を設けることなく、一つの廊下灯で全ての呼出情報を表示できる。表示される情報に応じて表示領域を分けているため、どの（あるいは、どこからの）呼出なのかが看護師にとってわかりやすい構成となっている。また、汎用呼出については、当該汎用呼出があったときにだけ表示枠が表示されるため、より見やすい構成となっている。
【０００８】
また、本発明のナースコールシステムにおいて、
前記ベッド近傍以外の場所からの汎用呼出は、前記病室内のトイレまたは浴室からの呼出であることが好ましい。
【０００９】
この構成によれば、病室にトイレや浴室が設置されている場合でもベッドに設置されたナースコール子機からの呼出時と同じ廊下灯にて呼出報知することができる。
【００１０】
また、本発明のナースコールシステムにおいて、
前記汎用呼出情報表示領域に表示される表示欄は、重複した呼出の数に応じて大きさを変化させることが好ましい。
【００１１】
この構成によれば、複数の呼出が重複しても限られた大きさのモニタ内でこれら複数の呼出を表示可能となっている。
【００１２】
また、本発明のナースコールシステムにおいて、
前記廊下灯に接続される全ての第一のナースコール子機および第二のナースコール子機からの呼出に対して優先度が設定されており、
前記呼出が重複した場合には、前記表示制御部は、前記優先度に応じて前記患者情報表示領域および前記汎用呼出情報表示領域の大きさを変更することが好ましい。
【００１３】
この構成によれば、呼出が重複した場合であっても、優先度の高い呼出は何であるかを容易に把握することができる。
【００１４】
また、本発明のナースコールシステムにおいて、
前記表示制御部は、前記第二のナースコール子機からの汎用呼出が前記第一のナースコール子機からの呼出よりも優先度が高いと判断した場合には、前記汎用呼出表示領域および当該領域に表示される表示欄が初期設定時のサイズである標準サイズよりも大きくなるように変更することが好ましい。
【００１５】
この構成によれば、優先度の高い汎用呼出を容易に把握でき、その後の処置がしやすい。
【発明の効果】
【００１６】
本発明のナースコールシステムによれば、ベッドからの呼出とベッド以外からの呼出を単一の廊下灯で呼出報知することができる。
【図面の簡単な説明】
【００１７】
【図１】本発明の実施形態に係るナースコールシステムの構成図である。
【図２】液晶廊下灯の機能ブロック図である。
【図３】（ａ）および（ｂ）は、液晶廊下灯に表示される画像の一例を示す図である。
【図４】液晶廊下灯に表示される画像の別の例を示す図である。
【発明を実施するための形態】
【００１８】
以下、本実施形態の一例について、図面を参照して説明する。
【００１９】
図１は、本発明の実施形態に係るナースコールシステムの構成図である。
図１に示すように、ナースコールシステム１００は、患者が看護師を呼び出すためのナースコール子機１０（第一のナースコール子機の一例）と、ナースコール子機１０が接続され病室内のベッド近傍の壁面に設置されるプレート子機１５と、病室近傍の廊下壁面に設置される液晶廊下灯３０（廊下灯の一例）と、液晶廊下灯３０および後述するナースコール親機５０に接続され、ナースコール子機１０や液晶廊下灯３０、ナースコール親機５０等の各機器を制御する制御装置４０と、ナースステーションに設置され看護師が患者からの呼出に応対するためのナースコール親機５０と、を備えている。ナースコールシステム１００は、さらに、制御装置４０に接続され、看護師が携行する携帯端末６０の通話接続を制御するためのＩＰ交換機（ＩＰ  ＰＢＸ）７０と、携帯端末６０とＩＰ交換機７０との間で無線通信を行う基地局７１とを備えている。
【００２０】
また、病室内にベッドとは別にトイレや浴室が設置されている場合には、トイレ／バス呼出用のナースコール子機２０（第二のナースコール子機の一例）がプレート子機２５を介して液晶廊下灯３０に接続されている。
【００２１】
図２は、液晶廊下灯の機能ブロック図である。
図２に示すように、液晶廊下灯３０は、ナースコール子機１０，２０からの呼出に対して患者情報やトイレ／バス（浴室）からの呼出情報を表示するためのモニタ３１と、モニタ３１を制御するための表示制御部３２と、を備えている。液晶廊下灯３０は、さらに、呼出操作に応じて点滅あるいは点灯する（呼出）表示灯３３と、各種情報の表示／非表示を行うための操作ボタン３４と、スタッフコール等の呼出に対して復旧操作するための復旧ボタン３５と、モニタ３１に表示する情報を記憶する記憶部３６とを備えている。表示制御部３２、表示灯３３、操作ボタン３４、復旧ボタン３５および記憶部３６は、廊下灯ＣＰＵ３７によって制御されている。表示制御部３２および廊下灯ＣＰＵ３７は、通信インタフェース３８およびＨＵＢを介して、制御装置４０と通信可能となっている。
【００２２】
このような構成のナースコールシステム１００において、以下、動作を説明する。
なお、患者が看護師を呼び出すためにナースコール子機１０を操作することにより行われる液晶廊下灯３０での報知、ナースコール親機５０や携帯端末６０での報知および通話等については従来と同様であるため、詳細は省略するものとし、以下の動作は液晶廊下灯３０の動作を中心に説明する。
【００２３】
図３（ａ），（ｂ）は、液晶廊下灯に表示される画像の一例を示す図である。
本例では、病室は３人部屋とする。待ち受け状態では、液晶廊下灯３０のモニタ３１は消灯した状態である。
患者がベッド近傍のプレート子機１５に接続されたナースコール子機１０で呼出操作を行うと、液晶廊下灯３０の表示灯３３が点滅するとともに、モニタ３１には呼出を行った患者に対応した患者情報（患者情報表示欄Ａ１）のみが表示される。なお、モニタ３１において他の患者の患者情報表示欄Ａ２，Ａ３にはマスクがかけられており表示されることはない。これにより、患者のプライバシーの保護を図ることができる。
【００２４】
この状態において、病室に設置されたトイレのナースコール子機２０から呼出操作を行うと、その呼出信号が廊下灯ＣＰＵ３７で検出される。
廊下灯ＣＰＵ３７は、当該呼出がベッド近傍のプレート子機１５を介した呼出があるか否か、および、他の汎用呼出（例えばバスからの呼出）があるか否かを検出する。当該呼出がベッド近傍のプレート子機１５を介した呼出ではないこと、および、他の汎用呼出がないことを検出した場合、廊下灯ＣＰＵ３７は表示制御部３２を制御して、モニタ３１の下部に一つの表示欄Ｂ１を生成し、「トイレ呼出」と表示を行わせる（図３（ａ））。なお、この場合、表示灯３３については重複呼出であることがわかるように点滅パターンを変更したり、点滅色を変更したりすることが好ましい。
ナースコールシステム１００（の液晶廊下灯３０）をこのような構成とすることで、従来のように廊下灯と別途に廊下灯を設けることなく、一つの液晶廊下灯３０で患者情報や汎用呼出情報といった全ての呼出情報を表示できる。また、表示される情報に応じて表示領域を分けているため、どの（あるいは、どこからの）呼出なのかが看護師にとってわかりやすい構成となっている。さらに、汎用呼出については、当該汎用呼出があったときにだけ表示枠が表示されるため、より見やすい構成となっている。
【００２５】
また、トイレからの呼出の他にバスからの呼出がさらに重複したときには、廊下灯ＣＰＵ３７は、ベッド近傍のプレート子機１５を介した呼出ではないこと、他の呼出（トイレからの呼出）があることを検出し、表示制御部３２を制御してモニタ３１の下部の表示欄を２つに変更する制御を行い、「トイレ呼出」（汎用呼出表示欄Ｂ１）に加えて「バス呼出」（汎用呼出表示欄Ｂ２）との表示を行わせる（図３（ｂ））。この場合も上記と同様に、表示灯３３の点灯／点滅パターンをさらに変更してもよい。なお、本例においては、「トイレ呼出」表示欄Ｂ１と「バス呼出」表示欄Ｂ２とを左右に並列して表示しているが、モニタ３１の形状に応じて、例えば上下に縦列させるなど、表示欄の配置は適宜変更することができる。
【００２６】
トイレ／バス等からの汎用呼出がさらに重複した場合（重複呼出が増えた場合）には、モニタ３１の下部の表示欄の枠数もさらに変更される。枠数の変更に際し、モニタ３１の大きさにあわせて表示欄（表示枠）の大きさも以下のように変化するものとする。
呼出数１＞呼出数２（重複）＞呼出数３（重複）・・・
汎用呼出情報表示欄Ｂ１，Ｂ２，…がこのように変化することで、液晶廊下灯３０が小さい画面であっても十分に対応することができる。
【００２７】
トイレ／バス等からの汎用呼出情報は、患者情報が表示される位置ではなく、モニタ３１の下部に表示され、また呼出の重複度合いにより表示欄数を自動的に変更している。そのため、患者情報と汎用呼出との双方表示が可能であり、看護師の対応ミスを防ぐことができる。また、ナースコールシステム１００の機器構成も少なくて済むため、低コスト化につながる。
【００２８】
図４は、液晶廊下灯に表示される画像の別の例を示す図である。
本例においては、液晶廊下灯３０に属する全てのナースコール子機１０，２０の優先度から報知方法を変更する。すなわち、モニタ３１において優先度の高い呼出が一目でわかるような表示とする。通常、ベッド近傍のナースコール子機１０からの呼出時にモニタ３１に患者情報を表示するため、患者情報表示欄として大きな表示領域を確保しているが、トイレやバスからの呼出は緊急度が高い。そのため、トイレやバスから汎用呼出があった場合には、表示制御部３２は、重複した呼出の優先度を判断する。そして、図４に示すように、表示制御部３２は、ナースコール子機２０によるトイレやバスからの呼出をナースコール子機１０によるベッド近傍からの呼出より優先度が高いものと判断し、モニタ３１の表示領域の大きさを変更して、患者情報表示欄Ａ１〜Ａ３を表示する表示領域Ａを図３（ａ），（ｂ）に示す標準サイズ（初期設定時のサイズ）よりも小さくするとともに、汎用呼出情報表示欄Ｂ１，Ｂ２を表示する表示領域Ｂを図３（ａ），（ｂ）に示す標準サイズよりも大きくする。これにより、緊急度が高い「トイレ呼出」欄Ｂ１を大きく表示することができる。なお、スタッフコールのような緊急呼出については、汎用呼出よりもさらに優先度が高いものとして当該スタッフコールを最も大きく表示することが好ましい。このように、トイレやバスからの汎用呼出が他の呼出と重複した場合には、優先度が高い呼出への処置を優先するために優先度に応じて表示領域（および表示欄）の大きさを適宜変更することで、看護師に対してよりわかりやすい表示を行うことができる。
【００２９】
以上、本発明を詳細にまた特定の実施態様を参照して説明したが、本発明の精神と範囲を逸脱することなく様々な変更や修正を加えることができることは当業者にとって明らかである。
【符号の説明】
【００３０】
１０：ナースコール子機（第一のナースコール子機の一例）、１５：プレート子機、２０：ナースコール子機（第二のナースコール子機の一例）、２５：プレート子機、３０：液晶廊下灯（廊下灯の一例）、３１：モニタ、３２：表示制御部、３３：（呼出）表示灯、３４：操作ボタン、３５：復旧ボタン、３６：記憶部、３７：廊下灯ＣＰＵ、３８：通信インタフェース、４０：制御装置、５０：ナースコール親機、６０：携帯端末、７０：ＩＰ交換機（ＩＰ  ＰＢＸ）、７１：基地局、１００：ナースコールシステム
【図１】
0006585495.tif 000002
【図２】
0006585495.tif 000003
【図３】
0006585495.tif 000004
【図４】
0006585495.tif 000005